【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
Summaアカウント間で金融トランザクションを実行する方法であって、各Summaアカウントは１以上のアカウントのクレジットとデビットを実行する電子メッセージングシステムであり、各Summaアカウントは１以上のネットワークサーバに接続された複数の電子ネットワーク機器にアクセス可能であり、前記方法が、
（ａ）各ネットワークサーバが、このネットワークサーバが管轄する各Summaアカウントの１以上のオーナーの情報を含むファイルを保存し抽出するステップと、
（ｂ）各Summaアカウントの１以上のオーナーに、当該アカウント宛の１以上のSummaメッセージの受信に際しての１以上の受信料金を決定させるステップと、
（ｃ）前記Summaメッセージの配信に際し送信者から受信者に受信料金の移転を行うステップとを備えることを特徴とする方法。
【請求項２】
Summaアカウント間で金融トランザクションを実行する方法であって、各Summaアカウントは各Summaアカウントに関連する１以上の金融アカウントのクレジットとデビットを実行する電子メッセージングシステムのアカウントであり、各Summaアカウントは１以上のネットワークサーバに接続された複数の電子ネットワーク機器にアクセス可能であり、前記方法が、
（ａ）各ネットワークサーバが、このネットワークサーバが管轄する１以上のSummaアカウントのユーザの情報を含むファイルを保存し抽出するステップと、
（ｂ）１以上のSummaアカウントのユーザに、Summaアカウント間の送金を指示する１以上のSummaメッセージを送信させるステップであって、各Summaメッセージが１以上のメッセージ部と、前記送信者の金融アカウントから引き落とすべき（debit）資産を示す１以上の料金割り当て部とを備えるステップと、
（ｃ）受信者に前記メッセージ部を配信するとともに、当該受信者の金融アカウントに送金するステップとを備える方法。
【請求項３】
請求項２に記載の方法において、前記ステップ（ｃ）の前に、
（ｄ）送信者の金融アカウントにおける利用可能な資金が前記料金割り当て部のものより少ないと判明した場合に、前記Summaメッセージの配信を拒否するステップと、
（ｅ）前記送信者に、前記Summaメッセージの配信は資金不足により拒否されたことを通知するステップとを備えることを特徴とする方法。
【請求項４】
請求項２に記載の方法において、前記ステップ（ｃ）の前に、
（ｄ）１以上のSummaアカウントのユーザに、当該アカウント宛の１以上のSummaメッセージの受信に際しての１以上の受信料金を決定させるステップを備えるとともに、前記ステップ（ｂ）が、
（ｅ）示された資金の一部を前記受信者が要求する受信料の支払いに回すステップとを備えることを特徴とする方法。
【請求項５】
請求項４に記載の方法において、前記ステップ（ｃ）において、前記受信料金の金額と同額の資金が前記受信者のアカウントに移転されるとともに、
（ｆ）前記送信者のアカウントに、前記デビットされた指示金額の余剰分を再クレジットするステップを備えることを特徴とする方法。
【請求項６】
請求項４に記載の方法において、前記ステップ（ｃ）の前に、
（ｆ）前記メッセージの送信者に、前記受信料金の支払いとして認める最大料金を決定させるステップと、
（ｇ）前記最大料金が要求された受信料金より少ない場合に前記メッセージを拒否するステップと、
（ｈ）前記最大料金が前記要求された受信料金を支払うのに足りる場合に、前記Summaメッセージの処理を進めるステップとを備えることを特徴とする方法。
【請求項７】
請求項２に記載の方法において、前記ステップ（ｃ）の前に、
（ｄ）各Summaアカウントの１以上のオーナーに、１以上の送信者から受信される１以上のSummaメッセージの受信にかかる１以上の受信料金を設定させるステップを備え、ステップ（ｃ）のなかに、
（ｅ）受信料金として承認された料金の少なくとも１部を前記送信者の金融アカウントに移転するステップとを備えることを特徴とする方法。
【請求項８】
請求項２に記載の方法において、前記ステップ（ｃ）の前に、
（ｄ）支払われるべき金額を前記Summaメッセージの未配信エスクローアカウントに入れるステップと、
（ｅ）前記Summaメッセージが配信されなかった場合に前記エスクローアカウントに移した金額をそれを引き落としたアカウントに戻すステップとを備えることを特徴とする方法。
【請求項９】
請求項２に記載の方法において、
（ｄ）各Summaアカウントの１以上のオーナーによる購入の記録をファイルに記録するステップを備えることを特徴とする方法。
【請求項１０】
請求項２に記載の方法において、
（ｄ）前記送信者に、１以上のメッセージの部分を第１の種類のメッセージあるいは第２の種類のメッセージとして特定させるステップを備え、前記ステップ（ｂ）の後に、
（ｅ）前記第１の種類のメッセージを、予め第１のメッセージ用に規定された方法で処理するステップと、
（ｆ）前記第２の種類のメッセージを、予め第２のメッセージ用に規定された方法で処理するステップとを備えることを特徴とする方法。
【請求項１１】
請求項２に記載の方法において、前記ステップ（ｂ）のなかに、
（ｄ）Summaアカウントの１以上のユーザがアクセスするプログラムを設けるステップであって、前記ユーザが当該プログラムを操作すると前記プログラムが予め定義された部分を含むSummaメッセージを作成するステップを備えることを特徴とする方法。
【請求項１２】
請求項２に記載の方法において、
（ｄ）１以上のサービスプロバイダが運営する複数のネットワークサーバ中に複数のSummaアカウントを設けるステップと、
（ｅ）各サービスプロバイダに、１以上の電子運営ファンドアカウント内の１以上のネットワークサーバが管轄するSummaアカウントに寄託された純資産を保持させるステップと、
（ｆ）各ネットワークサーバを１以上のクリアリングハウスサーバに結びつけるステップと、
（ｇ）１以上のネットワークサーバに、１以上の電子運営ファンドアカウント内の純資産の１以上の変動示す情報を、１以上の情報センタサーバに送信させるステップと、
（ｈ）１以上の情報センタサーバに、１以上のネットワークサーバから提供される情報に基づいて２以上の電子運営ファンドアカウント間で送金を実行させ、各電子運営ファンドアカウントの純資産を適切なバランスに変更させるステップを備えることを特徴とする方法。
【請求項１３】
Summaアカウント間で金融トランザクションを実行するシステムであって、各Summaアカウントは１以上のアカウントのクレジットとデビットを実行する電子メッセージングシステムを備え、各Summaアカウントは１以上のネットワークサーバがサービス提供する１以上のネットワークコンピュータを介して１以上のユーザに管理されており、前記システムは、
（ａ）各ネットワークサーバに接続され電子メッセージの配信と各ユーザの１以上の金融アカウントに対しクレジットとデビットを行う電子処理とを実行するのに必要な情報を含む電子記録を保存し検索するための１以上のファイルストレージデバイスと、
（ｂ）１以上のネットワークコンピュータでユーザが操作するプログラムであって、１以上のユーザが送信者として１以上のメッセージパケットを送信者のサーバに送信開始でき、前記メッセージパケットは、１以上の他のユーザを特定するとともに受信者に配信されるべき１以上のメッセージと、処理パラメータと、前記送信者の金融アカウントから引き落としを指示する金額を特定する１以上の情報とを含むプログラムと、
（ｃ）前記送信者のサーバとして動作する１以上のネットワークサーバに、所定の状況となった場合に、前記送信者のネットワークコンピュータから受信する前記メッセージパケットの少なくとも一部を前記受信者の受信サーバとして動作する１以上のネットワークサーバに転送させるプログラムと、
（ｄ）前記受信者の受信サーバとして動作する１以上のネットワークサーバに、所定の状況となった場合に、前記１以上の送信サーバから受信したメッセージパケットの少なくとも一部を前記受信者がアクセス可能なネットワークコンピュータに転送させるプログラムと、
（ｅ）１以上のネットワークサーバに保存された電子記録および前記送信者により生成された各メッセージパケットから、前記送信者の金融アカウントから引き落とされるべき資金の一部を特定するプログラムと、
（ｆ）１以上のネットワークサーバに保存された電子記録および前記送信者により生成された各メッセージパケットから、前記受信者の金融アカウントにクレジットされるべき正しい金額を特定するプログラムと、
（ｇ）１以上のネットワークサーバに、所定の状況となった場合に、前記要求された引き落とされるべき資金の一部を前記送信者の金融アカウントから引き落とさせるプログラムと、
（ｈ）１以上のネットワークサーバに、所定の状況となった場合に、前記受信者の金融アカウントに適切な金額をクレジットさせるプログラムとを備えることを特徴とするシステム。
【請求項１４】
請求項１３に記載のシステムにおいて、前記所定の状況は、前記受信者宛の１以上のSummaメッセージの受信に必要な受信料金と、前記送信者のSummaアカウントからSummaメッセージを送信する送信料金とを含み、これによって前記受信料金が送信料金を超えていない場合に前記メッセージが前記送信者のSummaアカウントから受信者のSummaアカウントに配信され、Summaメッセージの配信と同時に前記送信者の金融アカウントから受信者の金融アカウントに前記受信料金の支払いが転送され、前記受信料金が送信料金を超えている場合は前記送信者のSummaアカウントにメッセージが配信されなかった通知が返信されることを特徴とするシステム。
【請求項１５】
Summaアカウント間で金融トランザクションを実行する方法であって、
データベースを格納したメモリを用意するステップであって、前記データベースは１以上の受信者と１以上の送信者のSummaアカウントに関する情報を保存するよう構成され、前記受信者と送信者のSummaアカウントは当該送信者と受信者間で通信可能かつ前記送信者の１以上の金融口座と前記送信者の１以上の金融口座にクレジットおよびデビット可能に構成された電子メッセージングシステムを具え、前記受信者のSummaアカウント情報は当該アカウント宛ての１以上のSummaメッセージの受信にかかる１以上の受信料金を含み、前記送信者のSummaアカウント情報は当該送信者のSummaアカウントからSummaメッセージを送信する１以上の送信料金を含むステップと、
前記受信者のコンピュータおよび送信者のコンピュータと通信し前記メモリにアクセスする１以上のサーバを用意するステップを具え、当該サーバは、前記受信料金を送信料金と比較して少なくとも第１および第２の配送モードで前記Summaメッセージを処置し、前記第１のメッセージ配送モードは、前記受信料金が送信料金を超えていない場合に前記送信者のSummaアカウントから前記受信者のSummaアカウントにメッセージを配信し、当該Summaメッセージの配信と同時に前記送信者の金融アカウントから前記受信者の金融アカウントに前記受信料金の支払いを転送するステップを含み、前記第２のメッセージ配送モードは、前記受信料金が送信料金を超えている場合に前記送信者のSummaアカウントに通知を返信するステップを含むことを特徴とする方法。
【請求項１６】
請求項１５に記載の方法がさらに、
前記メッセージングシステムを、前記送信者の金融アカウントと前記受信者の金融アカウント間で資産を移転するために送信者のSummaアカウントが１以上のSummaメッセージを送信できるよう構成するステップであって、前記Summaメッセージは１以上のメッセージ部分と、前記送信者の金融アカウントから引き落とされる資産を指定する１以上の資産指示部分とを具えるステップと、前記指定された資産と前記送信者の金融アカウントの利用可能な資産とを比較して、前記第１および第２のメッセージ配送モードの少なくとも一方で前記メッセージを配信するようサーバを構成するステップとを具え、前記第１の配送モードは前記指定された資産が利用可能な資産を越えていない場合に前記受信者に前記メッセージ部分を配送して前記指定された資産を前記受信者の金融アカウントに移転するステップを含み、前記第２の配送モードは前記指定された資産が利用可能な資産を越えている場合に前記送信者のSummaアカウントに通知を返信するステップを含むことを特徴とする方法。
【請求項１７】
請求項１５に記載の方法において、
前記受信者のSummaアカウントが、少なくとも第１の要求されるメッセージ受信料金を第１のカテゴリに該当する送信者のSummaアカウントの第１の群に割り当て、少なくとも第２の要求されるメッセージ受信料金を第２のカテゴリに該当する送信者のSumaアカウントの第２のセットに割り当てるよう前記メッセージングシステムを構成するステップと、
前記送信者のSummaアカウントのカテゴリを特定するステップであって、前記送信者のSummaアカウントが前記第１のカテゴリに属することを特定したら、前記第１のメッセージ配送モードは前記Summaメッセージの配信時に前記第１のカテゴリの送信者に求められる受信料金の支払いを転送し、前記送信者のSummaアカウントが前記第２のカテゴリに属することを特定したら、前記第１のメッセージ配送モードは前記Summaメッセージの配信時に前記第２のカテゴリの送信者に求められる受信料金の支払いを転送するよう、前記サーバを構成するステップを具えることを特徴とする方法。
【請求項１８】
請求項１５に記載の方法がさらに、
少なくとも１のサービスプロバイダにより運営される複数のネットワークサーバにより複数のSummaアカウントを用意するステップと、
各ネットワークサーバを少なくとも１のクリアリングハウスサーバと結びつけるステップと、
少なくとも１のネットワークサーバが、当該ネットワークサーバが管理する１以上のSummaアカウントの利用可能な資産の１以上の変化を示す情報を、１以上のクリアリングハウスサーバに送るようにするステップと、
前記１以上のクリアリングハウスサーバが、前記１以上のネットワークサーバから提供された情報を用いて資産の移転を処理し、前記１以上のSummaアカウントの利用可能な資産の変化を適正なバランスにするステップとを具えることを特徴とする方法。
【請求項１９】
データベースを格納したメモリを用意するステップであって、前記データベースは１以上の受信者と１以上の送信者のSummaアカウントに関する情報を保存するよう構成され、前記受信者と送信者のSummaアカウントは当該送信者と受信者間で通信可能かつ前記送信者の１以上の金融口座と前記送信者の１以上の金融口座にクレジットおよびデビット可能に構成された電子メッセージングシステムを具え、前記受信者のSummaアカウント情報は当該アカウント宛てのSummaメッセージの受信に求められる１以上の商業カテゴリの受信基準を含み、前記送信者のSummaアカウント情報は当該送信者のSummaアカウントからSummaメッセージを送信する１以上の商業カテゴリの送信基準を含むステップと、
前記受信者のコンピュータおよび送信者のコンピュータと通信し前記メモリにアクセスするサーバを用意するステップであって、当該サーバは、前記受信基準を送信基準と比較して少なくとも第１および第２の配送モードで前記Summaメッセージを処置し、前記第１のメッセージ配送モードは、前記受信基準が送信基準に合致する場合に前記送信者のSummaアカウントから前記受信者のSummaアカウントにメッセージを配信し、前記第２のメッセージ配送モードは、前記受信基準が送信基準と合致しない場合に前記送信者のSummaアカウントに通知を返信するステップと、
前記データベースを、前記受信者と送信者のSummaアカウントのいずれか一方に関連する商業カテゴリの合致した基準に基づいて転送記録を保存するよう構成するステップとを具えることを特徴とする方法。
【請求項２０】
請求項１９に記載の方法がさらに、
受信者が受け取るのに適当な１以上のマーケティングメッセージを示す受信者のSummaアカウントからの情報を含むマーケティングデータベースを作成するステップと、
前記送信基準と受信基準とが前記マーケティングデータベースの情報を１以上照合可能とするプログラミングを提供するステップと、
前記マーケティングデータベースの少なくとも一部を、前記１以上のマーケティングメッセージの送信者に、当該送信者がマーケティングのオファーを受け取るのに適当な受信者を特定し易くなる形式で提供するステップとを具えることを特徴とする方法。
【請求項２１】
請求項２０に記載の方法がさらに、
１以上の前記マーケティングメッセージの送信者が前記マーケティングデータベースの情報に基づき１以上の受信者のSummaアカウントに関する予め規定された基準を入力できるよう前記サーバを構成するステップと、
１以上の受信者のSummaアカウントに関する情報が前記送信者により提供された予め規定された基準に合致した場合に、１以上の前記マーケティングメッセージの送信者が１以上のSummaメッセージを自動送信しうるよう前記サーバを構成するステップと、
前記ユーザについて収集された情報が前記送信者により提供された予め規定された基準に合致したら１以上の前記受信者のSummaアカウントに１以上のSummaメッセージを自動送信するよう前記サーバを構成するステップとを具えることを特徴とする方法。
【請求項２２】
請求項２１に記載の方法がさらに、
１以上の受信者のSummaアカウントが前記データベースに、前記受信者のSummaアカウントが１以上の予め設定されたメッセージの受信に興味があることを示す情報を送信するよう前記サーバを構成するステップを具えることを特徴とする方法。
【請求項２３】
請求項１９に記載の方法において、前記受信基準を提供するステップは、受信者のSummaアカウント宛のSummaメッセージの受信に必要な１以上の受信料金を含み、前記第１の配送モードでメッセージを配信するステップは、前記受信者のアカウントに資産をクレジットし、前記送信者のアカウントから資産を引き落とす（debit）ステップを含むことを特徴とする方法。